(57)【要約】【課題】携帯端末の背面側に機能モジュールが組み付けられるモジュール構造であっても、電池交換が容易な構成を提供する。【解決手段】筐体に形成される収容口１９は、筐体における底面側の一部から背面側の一部にかけて開口するように形成され、電池蓋は、底面側の一部を覆うための第１蓋部４１と背面側の一部を覆うための第２蓋部４２とが一体に連結されるように形成される。そして、第１蓋部４１には、ロック部５０をスライド面６１上にてスライド可能に支持する支持部６０が設けられ、筐体には、電池蓋により収容口１９を閉塞した状態で、ロック方向にスライドさせたロック部５０の先端部５１が係合する係合穴１１ｃが形成される。【選択図】図２
2020053201.tif 000002
【特許請求の範囲】
【請求項１】
収容口と当該収容口を介して底面側から挿入した電池を収容する電池収容部とが形成される筐体と、
前記収容口を閉塞するように前記筐体に対して着脱可能に組み付けられる電池蓋と、
を備える携帯端末であって、
前記収容口は、前記筐体における前記底面側の一部から背面側の一部にかけて開口するように形成され、
前記電池蓋は、前記底面側の一部を覆うための第１蓋部と前記背面側の一部を覆うための第２蓋部とが一体に連結されるように形成され、
前記第１蓋部及び前記第２蓋部のうち一方の蓋部には、ロック部をスライド面上にてスライド可能に支持する支持部が設けられ、
前記筐体には、前記電池蓋により前記収容口を閉塞した状態で、ロック方向にスライドさせた前記ロック部の一部が係合する係合穴が形成されることを特徴とする携帯端末。
【請求項２】
前記一方の蓋部には、前記ロック方向が逆方向となるように前記ロック部が一対設けられることを特徴とする請求項１に記載の携帯端末。
【請求項３】
前記ロック部は、前記係合穴に係合する先端部と、前記スライド面に向けて弾性変形可能な弾性部とを備え、
前記支持部には、前記先端部が前記係合穴に係合した状態で前記弾性部の一部を前記ロック方向に押圧する押圧面が設けられ、
前記押圧面は、前記スライド面との間に、当該スライド面に向けて弾性変形した前記弾性部がスライドして通過可能となる隙間が介在するように形成されることを特徴とする請求項１又は２に記載の携帯端末。
【発明の詳細な説明】
【技術分野】
【０００１】
本発明は、電池交換可能な携帯端末に関するものである。
【背景技術】
【０００２】
従来、電池交換可能な携帯端末として、例えば、下記特許文献１に開示される携帯端末が知られている。この携帯端末の電池カバーは、筐体の厚み方向に対して直交する方向に沿って移動することにより筐体の背面側に対して着脱可能に形成されており、その移動方向となる端部に筐体の一部を収容するための筒部を備えるように形成されている。このように電池カバーの筒部で筐体の一部を収容することで、電池カバーを筐体に対して容易かつ確実に固定している。
【先行技術文献】
【特許文献】
【０００３】
【特許文献１】特開２０１３−０８５０９３号公報
【発明の概要】
【発明が解決しようとする課題】
【０００４】
ところで、構成部品等の標準化を図りつつ、物流や棚卸などの各シーンにそれぞれ適した機能を有する携帯端末を複数種類用意するため、それぞれのシーンに応じた機能モジュールを組み合わせて携帯端末を構成するモジュール構造が採用されつつある。このようなモジュール構造では、例えば、スマートフォンタイプの携帯端末における背面側モジュールをガングリップ用のモジュールに代えることで、ガンタイプの携帯端末を構成することができる。
【０００５】
しかしながら、上記特許文献１のように電池カバーが携帯端末の背面側となるような構成では、ガンタイプの携帯端末を構成するためにガングリップ用のモジュールを筐体の背面側に組み付けると、電池を交換するためにその背面側のモジュールを取り外す必要があり、電池の交換が容易にできなくなるという問題がある。この問題は、ガングリップ用のモジュールに限らず、他の機能を有する機能モジュールを筐体の背面側に組み付ける場合にも同様に生じるものである。
【０００６】
本発明は、上述した課題を解決するためになされたものであり、その目的とするところは、携帯端末の背面側に機能モジュールが組み付けられるモジュール構造であっても、電池交換が容易な構成を提供することにある。
【課題を解決するための手段】
【０００７】
上記目的を達成するため、特許請求の範囲の請求項１に記載の発明は、
収容口（１９）と当該収容口を介して底面側から挿入した電池（１７）を収容する電池収容部（１８）とが形成される筐体（１１）と、
前記収容口を閉塞するように前記筐体に対して着脱可能に組み付けられる電池蓋（４０）と、
を備える携帯端末（１）であって、
前記収容口は、前記筐体における前記底面側の一部から背面側の一部にかけて開口するように形成され、
前記電池蓋は、前記底面側の一部を覆うための第１蓋部（４１）と前記背面側の一部を覆うための第２蓋部（４２）とが一体に連結されるように形成され、
前記第１蓋部及び前記第２蓋部のうち一方の蓋部には、ロック部（５０）をスライド面（６１）上にてスライド可能に支持する支持部（６０）が設けられ、
前記筐体には、前記電池蓋により前記収容口を閉塞した状態で、ロック方向にスライドさせた前記ロック部の一部（５１）が係合する係合穴（１１ｃ）が形成されることを特徴とする。
なお、上記各括弧内の符号は、後述する実施形態に記載の具体的手段との対応関係を示すものである。
【発明の効果】
【０００８】
請求項１の発明では、筐体に形成される収容口は、筐体における底面側の一部から背面側の一部にかけて開口するように形成され、電池蓋は、底面側の一部を覆うための第１蓋部と背面側の一部を覆うための第２蓋部とが一体に連結されるように形成される。そして、第１蓋部及び第２蓋部のうち一方の蓋部には、ロック部をスライド面上にてスライド可能に支持する支持部が設けられ、筐体には、電池蓋により収容口を閉塞した状態で、ロック方向にスライドさせたロック部の一部が係合する係合穴が形成される。
【０００９】
これにより、収容口近傍の筐体の背面側部分に、ガングリップ用などの機能モジュールが組み付けられた後でも、収容口を介した電池の着脱方向が背面側と異なる底面側となるので、収容口を介した電池の着脱を容易に実施することができる。また、収容口が筐体の底面側の一部だけでなく背面側の一部にかけて開口するため、収容口が底面側だけ開口する場合と比較して、開口部分が広くなるので、この収容口を介したＳＤカード等の着脱も容易に実施することができる。特に、ロック方向にスライドしたロック部が係合穴に係合するため、ロック部を支持する支持部と筐体と固定、すなわち、電池蓋と筐体との固定を簡素な構成にて強固に実施することができる。
【００１０】
請求項２の発明では、一方の蓋部には、ロック方向が逆方向となるようにロック部が一対設けられる。このため、電池蓋がスライド方向両端となる離れた２箇所にて筐体と固定されることとなるので、電池蓋と筐体との固定を簡素な構成にてより強固に実施することができる。
【００１１】
請求項３の発明では、ロック部は、係合穴に係合する先端部と、スライド面に向けて弾性変形可能な弾性部とを備えており、支持部には、先端部が係合穴に係合した状態で弾性部の一部をロック方向に押圧する押圧面が設けられ、この押圧面は、スライド面との間に、当該スライド面に向けて弾性変形した弾性部がスライドして通過可能となる隙間が介在するように形成される。
【００１２】
これにより、先端部が係合穴に係合するロック状態では、弾性部の一部が押圧面によりロック方向に押圧されるため、ロック状態での係合穴からの先端部の抜け防止を確実に行うことができる。また、先端部を係合穴から抜いてロック状態を解除する場合には、弾性部が押圧面に接触しなくなるまでスライド面に押し付けるようにして弾性変形させた状態でロック部を反ロック方向にスライドさせればよいので、ロック部を利用したロック操作とロック解除操作とのそれぞれを容易に行うことができる。
【図面の簡単な説明】
【００１３】
【図１】第１実施形態に係る携帯端末を示す説明図であり、図１（Ａ）は平面図を示し、図１（Ｂ）は側面図を示し、図１（Ｃ）は、底面図を示す。
【図２】図１の携帯端末からボトムモジュールを取り外して拡大した状態を示す一部背面図である。
【図３】図１の携帯端末の電気的構成を概略的に例示するブロック図である。
【図４】図３の情報コード読取ユニットの電気的構成を概略的に例示するブロック図である。
【図５】図１のボトムモジュールを説明する斜視図である。
【図６】図６（Ａ）は、図５のボトムモジュールを第２蓋部側（背面側）からみた説明図であり、図６（Ｂ）は、図５のボトムモジュールを第１蓋部側（底面側）からみた説明図である。
【図７】図６（Ｂ）のＸ１−Ｘ１断面を拡大して示す拡大断面図である。
【図８】図６（Ａ）のＸ２−Ｘ２断面を拡大して示す拡大断面図である。
【図９】図９（Ａ）は、第１蓋部の係合部を係合させる前に第２蓋部の係合部をケースに係合させた状態を拡大して示す一部断面図であり、図９（Ｂ）は、第１蓋部の係合部及び第２蓋部の係合部のそれぞれをケースに係合させた状態を拡大して示す一部断面図である。
【発明を実施するための形態】
【００１４】
［第１実施形態］
以下、本発明の第１実施形態に係る携帯端末について、図面を参照して説明する。
本実施形態に係る携帯端末は、ベースモジュールに対してトップモジュール、バックモジュール及びボトムモジュール等の複数の機能モジュールをそれぞれ接続することで所定の機能を付加するように構成される携帯型の情報処理装置である。すなわち、トップモジュール、バックモジュール及びボトムモジュール等がそれぞれ付加する機能に合わせて複数種類用意されており、これらの機能モジュールを組み替えることで、所望の機能を有する携帯端末を構成することができる。
【００１５】
図１に示す携帯端末１は、ベースモジュール１０に対してトップモジュール２０、バックモジュール３０及びボトムモジュール４０を組み付けてコネクタ等を介して電気的に接続することで、キーボードが無いスマートフォンタイプとして構成される。
【００１６】
ベースモジュール１０は、各機能を有する携帯端末にて共通に用いられるモジュールであって、外郭を構成するケース１１に対して、図３に示すように、接続される各機能モジュールを含めた装置全体を制御する制御部１２と、記憶部１３、タッチパネル１４、通信部１５及び電源部１６とが収容等されるように構成されている。ケース１１の上面側（図１（Ｂ）の上側）や背面側（図１（Ｂ）の右側）、底面側（図１（Ｂ）の下側）には、組み付けられる各機能モジュールと制御部１２とを電気的に接続するコネクタ等が配置されている。
【００１７】
記憶部１３は、例えば半導体メモリ装置などの公知の記憶装置によって構成されており、ベースモジュール１０に対して接続され得る各機能モジュールのそれぞれの機能を実現するための複数のアプリケーションプログラム等が制御部１２にて実行可能に予め記憶されている。
【００１８】
タッチパネル１４は、公知のタッチパネル型の表示装置として構成されており、液晶表示器等の公知の表示デバイスとして構成される表示部と、この表示部の表示画面１４ａに重ねられて当該表示画面１４ａに対して押圧操作（接触）している範囲を検出可能な検出部として機能する透明性の操作パネルとを備えている。このタッチパネル１４は、制御部１２によって表示部の表示内容が制御され、狭額縁化（狭ベゼル化）されるように大型化された表示画面１４ａがケース１１の表面側（図１（Ｂ）の左側）に配置されている。
【００１９】
通信部１５は、制御部１２によりで制御されて、ケース１１内に配置されるアンテナ又は接続される機能モジュールに設けられるアンテナを利用して電話回線や無線ＬＡＮを介した無線通信等を行う外部インタフェースとして構成されている。
【００２０】
電源部１６は、公知の電源回路などによって構成されており、ケース１１内に設けられる電池収容部１８に収容された電池１７を利用して、制御部１２や接続された各モジュールを含めた各種電気部品に対して電力を供給するように構成されている。特に、図２に示すように、電池収容部１８は、電池１７の着脱を容易にするため、ケース１１の底面側及びバックモジュール３０におけるケース３１の底面側によって形成される収容口１９を介して、電池１７が底面側から挿入されるように形成されている。すなわち、電池収容部１８は、電池１７の着脱方向がケース１１の長手方向（図２の矢印Ｆ参照）となるように形成されている。
【００２１】
また、電池収容部１８の底面側には、ＳＤカード等の記録媒体を着脱するスロット１８ａ等が形成されている。このスロット１８ａ等へのＳＤカード等の着脱を容易にするため、収容口１９は、ケース１１の底面側に設けられる左右一対の支持片１１ａを介して、ケース１１の底面側の一部から背面側の一部にかけて開口するように形成されている。両支持片１１ａは、それぞれの表面側が連結部１１ｂにて連結されており、両支持片１１ａには、後述するロック部５０の先端部５１が係合するための係合穴１１ｃが、収容口１９を介して対向するようにそれぞれ形成されている。
【００２２】
次に、トップモジュール２０について説明する。
トップモジュール２０は、ベースモジュール１０のケース１１の上面側に組み付けられる機能モジュールである。このトップモジュール２０は、図３に示すように、外郭を構成するケース２１に対して、情報コードを光学的に読み取る情報コード読取ユニット２３と音響部２５とが収容等されるように構成されている。
【００２３】
情報コード読取ユニット２３は、図４に示すように、ＣＣＤエリアセンサからなる受光センサ２３ａ、結像レンズ２３ｂ、複数個のＬＥＤやレンズ等から構成される照明部２３ｃなどを備えた構成をなしており、制御部１２と協働して読取対象Ｒに付された情報コードＣ（バーコードや二次元コード）を読み取るように機能する。この情報コード読取ユニット２３によって読み取りを行う場合、まず、制御部１２によって指令を受けた照明部２３ｃから照明光Ｌｆが出射され、この照明光Ｌｆが読取口２２を通って読取対象Ｒに照射される。そして、照明光Ｌｆが情報コードＣにて反射した反射光Ｌｒは読取口２２を通ってユニット内に取り込まれ、結像レンズ２３ｂを通って受光センサ２３ａに受光される。読取口２２と受光センサ２３ａとの間に配される結像レンズ２３ｂは、情報コードＣの像を受光センサ２３ａ上に結像させる構成をなしており、受光センサ２３ａはこの情報コードＣの像に応じた受光信号を出力する。受光センサ２３ａから出力された受光信号は、画像データとして記憶部１３に記憶され、情報コードＣに記録される情報を取得するためのデコード処理に用いられるようになっている。なお、情報コード読取ユニット２３には、受光センサ２３ａからの信号を増幅する増幅回路や、その増幅された信号をデジタル信号に変換するＡＤ変換回路等が設けられているがこれらの回路については図示を省略している。
【００２４】
音響部２５は、公知のスピーカ等を備えるように構成されており、制御部１２により制御されて、音声や所定のビープ音等を発音するように機能する。
【００２５】
次に、バックモジュール３０について説明する。
バックモジュール３０は、ベースモジュール１０における表示画面１４ａに対して背面側（裏面側）に組み付けられる機能モジュールである。このバックモジュール３０は、外郭を構成するケース３１の底面側にて、組み付けられたケース１１の底面側とにより、上記収容口１９を構成するように形成されている。このケース３１の内面側には、通信部１５にて利用可能なアンテナ３２（図３参照）が配置されている。
【００２６】
次に、ボトムモジュール４０について説明する。
ボトムモジュール４０は、ベースモジュール１０の収容口１９を閉塞するようにケース１１の底面側に対して着脱可能に組み付けられる電池蓋として機能するモジュールである。このボトムモジュール４０は、図５及び図６に示すように、収容口１９の底面側の一部を覆うための第１蓋部４１と背面側の一部を覆うための第２蓋部４２とが一体に連結されるように形成されている。
【００２７】
このボトムモジュール４０は、第１蓋部４１の端部に設けられる係合部４１ａと第２蓋部４２の端部に設けられる係合部４２ａとをそれぞれケース１１に係合させた状態で、ロック部５０の先端部５１を係合穴１１ｃに係合させることで、ベースモジュール１０に組み付けられる。
【００２８】
ロック部５０は、ＡＢＳ樹脂等の合成樹脂からなり、第１蓋部４１の左側端部と右側端部とのそれぞれ設けられる支持部６０により、スライド可能に支持されている。すなわち、第１蓋部４１には、ロック方向が逆方向となるようにロック部５０が一対設けられている。なお、本実施形態では、第１蓋部４１は、ロック部５０をスライド可能に支持する支持部６０が設けられる「一方の蓋部」の一例に相当し得る。
【００２９】
図７に示すように、ロック部５０は、係合穴１１ｃに係合する先端部５１と、ロック操作に利用する凸状の操作部５２と、スライド時に弾性変形させる弾性部５３とを備え、支持部６０に設けられるスライド面６１上に配置されている。このロック部５０は、操作部５２や弾性部５３に対して外力が作用しない場合には、弾性部５３とスライド面６１との間に空間が形成され、操作部５２に対してスライド面６１に向かう外力が作用すると、弾性部５３がスライド面６１に押し付けられて弾性変形するように形成されている。なお、図７及び後述する図８では、便宜上、図６に対して、先端部５１がロック方向にスライドした状態を図示している。
【００３０】
弾性部５３の操作部５２側となる部位には、ロック解除状態からロック状態に切り替える際にロック部５０をスムーズにスライドさせるためのテーパ面５３ａが形成されている。
【００３１】
また、図８に示すように、ロック部５０のスライド面６１側には、当該ロック部５０のスライド量を規制するための一対の規制部５４が設けられている。この規制部５４は、スナップフィット状に形成されており、先端側の第１規制面５４ａにて後述する案内面６３の突起６３ａに接触することで、更なるロック方向へのスライドが規制され、基端側の第２規制面５４ｂにて案内面６３の突起６３ａに接触することで、更なる反ロック方向へのスライドが規制されるように形成されている。
【００３２】
支持部６０は、ロック方向にスライドさせた先端部５１が係合穴１１ｃに係合するロック状態と、反ロック方向にスライドさせた先端部５１が係合穴１１ｃから抜け出るロック解除状態とを切り替え可能に、ロック部５０を支持するように構成されている。この支持部６０は、スライド面６１と、このスライド面６１に対向してロック部５０の表面側の端部と背面側の端部とを案内する案内部６２と、を備えている。
【００３３】
また、支持部６０には、スライド面６１と案内部６２との表面側及び背面側をそれぞれ連結し、スライド方向に対して直交する方向にてスライド面６１を介して対向するように、一対の案内面６３が形成されている。一対の案内面６３は、図８に示すように、挟み込んだロック部５０を、ロック方向又は反ロック方向に案内するように形成されている。
【００３４】
一対の案内面６３には、それぞれロック部５０の抜け止め用の突起６３ａが形成されている。この突起６３ａは、ロック方向にスライドさせた先端部５１が係合穴１１ｃに係合した状態で規制部５４の第１規制面５４ａに接触し、反ロック方向にスライドさせた先端部５１が係合穴１１ｃから完全に抜け出た状態で規制部５４の第２規制面５４ｂに接触するように形成されている。
【００３５】
また、支持部６０には、先端部５１が係合穴１１ｃに係合した状態で弾性部５３の一部をロック方向に押圧する押圧面６４が設けられている。この押圧面６４は、スライド面６１との間に、当該スライド面６１に向けて弾性変形した弾性部５３がスライドして通過可能となる隙間Ｇが介在するように形成されている。
【００３６】
また、支持部６０には、押圧面６４の反ロック方向となる位置に、ロック解除状態からロック方向にスライドする弾性部５３をそのテーパ面５３ａに沿って押し下げるための案内面６５が形成されている。
【００３７】
上述のように構成されるトップモジュール２０、バックモジュール３０、ボトムモジュール４０が、ベースモジュール１０の上面側、背面側、底面側にそれぞれ組み付けられることで、図１に示すように、携帯端末１が構成される。これらの組み付け時に、図３に示すように、トップモジュール２０の情報コード読取ユニット２３及び音響部２５や、バックモジュール３０のアンテナ３２などがコネクタ等を介して制御部１２に対して接続される。また、ベースモジュール１０の電源部１６が他のモジュールの各種電気部品に対して電力供給可能に接続される。
【００３８】
次に、本実施形態に係る携帯端末１における電池交換作業について以下に説明する。なお、以下の説明では、ボトムモジュール４０を電池蓋とし、ボトムモジュール４０を取り外した状態での携帯端末１の外郭を構成するケース１１及びケース３１等を筐体として詳述する。
【００３９】
本実施形態では、電池１７を交換する場合には、電池蓋（ボトムモジュール４０）を筐体（ケース１１等）から取り外す。具体的には、ロック状態にあるロック部５０において、操作部５２に対するロック解除操作に応じて、弾性部５３が押圧面６４の下方の隙間Ｇを通り抜けるように反ロック方向にスライドすることで、先端部５１が係合穴１１ｃから抜け出て、電池蓋が筐体から取り外し可能な状態となる。この状態で電池蓋を筐体から取り外すことで、収容口１９が露出するため、この収容口１９を介して電池１７を電池収容部１８から取り外すことができる。そして、新たな交換用の電池１７を、底面側から収容口１９を介して電池収容部１８に挿入した後、以下のようにして電池蓋を筐体に組み付ける。
【００４０】
まず、図９（Ａ）に示すように、第２蓋部４２の係合部４２ａをケース１１に係合した状態から、図９（Ｂ）に示すように、第１蓋部４１の係合部４１ａ等をケース１１のパッキンが嵌めこまれた環状凹部に係合させるようにして、電池蓋にて収容口１９を閉塞する。この状態では、ロック部５０の先端部５１が係合穴１１ｃに対して対向しており、ロック解除状態のロック部５０をロック方向にスライドさせることで、先端部５１が係合穴１１ｃに係合してロック状態となる。
【００４１】
具体的には、操作部５２をロック方向にスライドさせることで、テーパ面５３ａが案内面６５により案内されるようにして、弾性部５３が押圧面６４の下方の隙間Ｇを通り抜け始め、先端部５１が係合穴１１ｃに入り込み始める。そして、弾性部５３が隙間Ｇを通り抜け終えると、この弾性部５３の一部が押圧面６４によりロック方向に押圧された状態となり、先端部５１が係合している係合穴１１ｃに向けて押し込まれることとなる。このようにして一対のロック部５０の先端部５１がスライド方向両端にて係合穴１１ｃに係合するため、蓋部と筐体とを強固に固定することができる。
【００４２】
以上説明したように、本実施形態に係る携帯端末１では、筐体（ケース１１等）に形成される収容口１９は、筐体における底面側の一部から背面側の一部にかけて開口するように形成され、電池蓋（ボトムモジュール４０）は、底面側の一部を覆うための第１蓋部４１と背面側の一部を覆うための第２蓋部４２とが一体に連結されるように形成される。そして、第１蓋部４１には、ロック部５０をスライド面６１上にてスライド可能に支持する支持部６０が設けられ、筐体には、電池蓋により収容口１９を閉塞した状態で、ロック方向にスライドさせたロック部５０の先端部５１が係合する係合穴１１ｃが形成される。
【００４３】
これにより、収容口１９近傍の筐体の背面側部分に、ガングリップ用などの機能モジュールがバックモジュールとして組み付けられた後でも、収容口１９を介した電池１７の着脱方向が背面側と異なる底面側（図２の矢印Ｆ参照）となるので、収容口１９を介した電池１７の着脱を容易に実施することができる。また、収容口１９が筐体の底面側の一部だけでなく背面側の一部にかけて開口するため、収容口が底面側だけ開口する場合と比較して、開口部分が広くなるので、この収容口１９を介したＳＤカード等の着脱も容易に実施することができる。特に、ロック方向にスライドしたロック部５０の先端部５１が係合穴１１ｃに係合するため、ロック部５０を支持する支持部６０と筐体と固定、すなわち、電池蓋と筐体との固定を簡素な構成にて強固に実施することができる。
【００４４】
さらに、第１蓋部４１には、ロック方向が逆方向となるようにロック部５０が一対設けられる。このため、電池蓋がスライド方向両端となる離れた２箇所にて筐体と固定されることとなるので、電池蓋と筐体との固定を簡素な構成にてより強固に実施することができる。
【００４５】
特に、ロック部５０は、係合穴１１ｃに係合する先端部５１と、スライド面に向けて弾性変形可能な弾性部５３とを備えており、支持部６０には、先端部５１が係合穴１１ｃに係合した状態で弾性部５３の一部をロック方向に押圧する押圧面６４が設けられ、この押圧面６４は、スライド面６１との間に、当該スライド面６１に向けて弾性変形した弾性部５３がスライドして通過可能となる隙間Ｇが介在するように形成される。
【００４６】
これにより、先端部５１が係合穴１１ｃに係合するロック状態では、弾性部５３の一部が押圧面６４によりロック方向に押圧されるため、ロック状態での係合穴１１ｃからの先端部５１の抜け防止を確実に行うことができる。また、先端部５１を係合穴１１ｃから抜いてロック状態を解除する場合には、弾性部５３が押圧面６４に接触しなくなるまでスライド面６１に押し付けるようにして弾性変形させた状態でロック部５０を反ロック方向にスライドさせればよいので、ロック部５０を利用したロック操作とロック解除操作とのそれぞれを容易に行うことができる。
【００４７】
なお、本発明は上記実施形態等に限定されるものではなく、例えば、以下のように具体化してもよい。
（１）ロック部５０をスライド可能に支持する支持部６０は、第１蓋部４１に設けられることに限らず、第２蓋部４２に設けられてもよい。この構成では、第２蓋部４２は、ロック部５０をスライド可能に支持する支持部６０が設けられる「一方の蓋部」の一例に相当し得る。また、ロック部５０及び支持部６０は、ロック方向が逆方向となるように一対設けられることに限らず、第１蓋部４１又は第２蓋部４２に対して１又は３以上設けられてもよい。
【符号の説明】
【００４８】
１…携帯端末
１０…ベースモジュール
１１…ケース（筐体）
１１ｃ…係合穴
１７…電池
１８…電池収容部
１９…収容口
４０…ボトムモジュール（電池蓋）
４１…第１蓋部
４２…第２蓋部
５０…ロック部
５１…先端部（ロック部の一部）
５２…操作部
５３…弾性部
６０…支持部
６１…スライド面
６４…押圧面
Ｇ…隙間
【図１】
2020053201.tif 000003
【図２】
2020053201.tif 000004
【図３】
2020053201.tif 000005
【図４】
2020053201.tif 000006
【図５】
2020053201.tif 000007
【図６】
2020053201.tif 000008
【図７】
2020053201.tif 000009
【図８】
2020053201.tif 000010
【図９】
2020053201.tif 000011